(57)【要約】【課題】携帯電話機や無線ＬＡＮ等からなる無線通信システム及び無線端末装置に関し、特に通信中に相手先端末装置の電波状況がリアルタイムで把握できるシステム及び端末装置を提供する。【解決手段】第１の無線端末装置と第２の無線端末装置からなる無線通信システムであって、第１の無線端末装置と第２の無線端末装置との間の通信中に、第１の無線端末装置は、自端末装置の端末装置状態情報を第２の無線端末装置へ送信し、第２の無線端末装置は、第１の無線端末装置から受信した前記端末装置状態情報を基に所定の通知情報を作成し、その通知情報を第２の無線端末装置ユーザへ通知することにより、互いの端末装置状態情報を実時間で通知し合う。【選択図】図１
2006295881.tif 000002
【特許請求の範囲】
【請求項１】
第１の無線端末装置と第２の無線端末装置からなる無線通信システムであって、第１の無線端末装置と第２の無線端末装置との間の通信中に、
第１の無線端末装置は、自端末装置の端末装置状態情報を第２の無線端末装置へ送信し、
第２の無線端末装置は、第１の無線端末装置から受信した前記端末装置状態情報を基に所定の通知情報を作成し、その通知情報を第２の無線端末装置ユーザへ通知する、
ことにより、互いの端末装置状態情報を実時間で通知し合うことを特徴とする無線通信システム。
【請求項２】
第１の無線端末装置と第２の無線端末装置とネットワーク装置からなる無線通信システムであって、ネットワーク装置を介した第１の無線端末装置と第２の無線端末装置との間の通信中に、
第１の無線端末装置は、自端末装置の端末装置状態情報をネットワーク装置へ送信し、
ネットワーク装置は、受信した前記端末装置状態情報を第２の無線端末装置へ送信し、
第２の無線端末装置は、受信した前記端末装置状態情報を基に所定の通知情報を作成し、該通知情報を第２の無線端末装置ユーザへ通知する、
ことにより、互いの端末装置状態情報を実時間で通知し合うことを特徴とする無線通信システム。
【請求項３】
第１の無線端末装置からネットワーク装置への送信は一定周期毎に所定の報告メッセージを用いて行われ、そしてネットワーク装置から第２の無線端末装置への送信は受信した前記報告メッセージに基づき作成された所定の制御メッセージを用いて行われる、ことを特徴とする請求項２記載の無線通信システム。
【請求項４】
第１の無線端末装置と第２の無線端末装置とネットワーク装置からなる無線通信システムにおいて、ネットワーク装置を介した第１の無線端末装置と第２の無線端末装置との間の通信方法は、
第１の無線端末装置と第２の無線端末装置との間でネットワーク装置を介した通信を開始すること、
通信中に、第１の無線端末装置は、自端末装置の端末装置状態情報をネットワーク装置へ送信すること、
ネットワーク装置は、受信した前記端末装置状態情報を第２の無線端末装置へ送信すること、
第２の無線端末装置は、受信した前記端末装置状態情報を基に所定の通知情報を作成し、該通知情報を第２の無線端末装置ユーザへ通知すること、
により、互いの端末装置状態情報を実時間で通知し合うことを特徴とする通信方法。
【請求項５】
第１の無線端末装置からネットワーク装置への送信は一定周期毎に所定の報告メッセージを用いて行われ、そしてネットワーク装置から第２の無線端末装置への送信は受信した前記報告メッセージに基づき作成された所定の制御メッセージを用いて行われる、ことを特徴とする請求項４記載の通信方法。
【請求項６】
ネットワーク装置を介して相手先無線端末装置との間で無線通信を行う無線端末装置であって、
前記相手先無線端末装置との通信中に、自端末装置の端末装置状態情報を送信する端末装置状態送信部と、
前記相手先無線端末装置の端末装置状態情報を受信する端末装置状態受信部と、
受信した前記相手先無線端末装置の端末装置状態情報を基に作成した通知情報を、自端末装置ユーザへ通知する通知部と、を有し、
前記相手先無線端末装置の端末装置状態情報を実時間で取得することを特徴とする無線端末装置。
【請求項７】
第１の無線端末装置と第２の無線端末装置との間の無線接続とその通信制御を行うネットワーク装置であって、
前記第１の無線端末装置と第２の無線端末装置との間の通信中に、前記第１の無線端末装置から端末装置状態情報を受信する受信部と、
前記第１の無線端末装置から受信した端末装置状態情報を、前記第２の無線端末装置へ実時間で転送する転送部と、を有し、
前記第１の無線端末装置と第２の無線端末装置とが互いの端末装置状態情報を実時間で通知し合えるようにしたことを特徴とするネットワーク装置。
【請求項８】
前記転送部は、前記転送の際に、前記第１の無線端末装置から受信した端末装置状態情報を基に通知情報を作成し、前記第１の無線端末装置から受信した端末装置状態情報に代えて該通知情報を前記第２の無線端末装置へ転送すること、を特徴とする請求項７記載のネットワーク装置。
【発明の詳細な説明】
【技術分野】
【０００１】
本発明は携帯電話や無線ＬＡＮ等からなる無線通信システム及び無線端末装置に関し、特に通信中に相手先端末装置の電波状況がリアルタイムで把握できる無線通信システム及び無線端末装置に関するものである。
【背景技術】
【０００２】
携帯電話や無線テレビ電話等を用いる無線通信において、無線端末装置は、相手先端末装置との音声通話や画像通信に加えて、その無線端末装置が在圏するエリア内又は周辺エリアの基地局と通信して位置登録処理や移動中のハンドオーバ処理等を実行する。そのため、無線端末装置は基地局からの電波強度を周期的に測定し、その電波強度データを上り制御メッセージに含めて基地局へ送信している。
【０００３】
この場合、無線端末装置は自身が測定した電波受信状態を端末装置ディスプレイ上にアンテナバー等を用いて表示し、端末装置ユーザはこの表示によって自端末装置の電波受信状態を容易に知ることができた。一方、基地局又はそれと接続するネットワーク内のサーバ等には、各端末装置から受信した電波強度データや位置データ等の情報を保持し、その情報によって端末装置毎の通話可否の判定を行い、その判定結果を含む端末装置状態情報を作成するものがあった。この場合には、端末装置ユーザが該基地局やサーバに対して読み出し要求を行って相手先端末装置の端末装置状態情報を取得することもできた（特許文献１参照）。
【０００４】
【特許文献１】特開２００３−１２４８７０号公報
【発明の開示】
【発明が解決しようとする課題】
【０００５】
しかしながら、従来のように端末装置自身が測定した電波受信状態を端末装置ディスプレイ上に表示するだけでは、通話や通信中における相手先端末装置の電波受信状態を知ることができないという問題があった。そのため、一例として通話中の一方の端末装置ユーザが電波受信圏外へ移動して会話が不意に遮断されると、他方の端末装置ユーザはその遮断原因を把握できずに当惑し、この状態では再接続できないにもかかわらず、何度も電話のかけ直しをしてしまう等の問題が生じていた。
【０００６】
また、ユーザからの読み出し要求によって基地局やネットワーク側のサーバで作成した端末装置状態情報を取得する場合には、基地局やネットワーク内にユーザ毎の端末装置状態情報を記憶管理する新たな設備を追加する必要があり、そのサービスの提供コストが上昇するという問題があった。さらに、ユーザからの読み出し要求によって通信相手先の端末装置状態情報を取得することから、事後的に通話遮断等の原因をネットワーク内の基地局やサーバにアクセスして確認する程度の利用に留まり、通話中に発生し得る遮断等の予想情報をリアルタイムで取得して、事前に適切な対応を取ることができないという問題があった。
【０００７】
そこで本発明の目的は、上記問題点に鑑み、無線通信システムにおける既存設備をそのまま利用でき、そして通話中の一方の相手先端末装置の電波受信状態に関する情報を他方の端末装置がリアルタイムで取得し得るようにした端末装置状態通知システムを提供することにある。
【課題を解決するための手段】
【０００８】
本発明によれば、第１の無線端末装置と第２の無線端末装置からなる無線通信システムであって、第１の無線端末装置と第２の無線端末装置との間の通信中に、第１の無線端末装置は、自端末装置の端末装置状態情報を第２の無線端末装置へ送信し、第２の無線端末装置は、第１の無線端末装置から受信した前記端末装置状態情報を基に所定の通知情報を作成し、その通知情報を第２の無線端末装置ユーザへ通知する、ことにより、互いの端末装置状態情報を実時間で通知し合う無線通信システムが提供される。
【０００９】
また本発明によれば、第１の無線端末装置と第２の無線端末装置とネットワーク装置からなる無線通信システムであって、ネットワーク装置を介した第１の無線端末装置と第２の無線端末装置との間の通信中に、第１の無線端末装置は、自端末装置の端末装置状態情報をネットワーク装置へ送信し、ネットワーク装置は、受信した前記端末装置状態情報を第２の無線端末装置へ送信し、第２の無線端末装置は、受信した前記端末装置状態情報を基に所定の通知情報を作成し、該通知情報を第２の無線端末装置ユーザへ通知する、ことにより、互いの端末装置状態情報を実時間で通知し合う無線通信システムが提供される。
【００１０】
さらに本発明によれば、第１の無線端末装置と第２の無線端末装置とネットワーク装置からなる無線通信システムであって、ネットワーク装置を介した第１の無線端末装置と第２の無線端末装置との間の通信中に、第１の無線端末装置は、自端末装置の端末装置状態情報をネットワーク装置へ送信し、ネットワーク装置は、受信した前記端末装置状態情報を基に所定の通知情報を作成し、該通知情報を第２の無線端末装置ユーザへ送信し、第２の無線端末装置は、受信した前記通知情報を第２の無線端末装置ユーザへ通知する、ことにより、互いの端末装置状態情報を実時間で通知し合う無線通信システムが提供される。
【００１１】
本発明によれば、さらにまた上記の無線通信システムで動作する無線端末装置及びネットワーク装置、また該無線端末装置及びネットワーク装置を実現するソフトウェア、さらに前記無線通信システムの通信方法が提供される。
【発明の効果】
【００１２】
本発明では既存の無線システムとの整合性が維持されるため、本発明のサービス提供によるコストの上昇が回避される。また、通話中において、一方の無線端末装置を起因とする通話遮断等の発生を、他方の無線端末装置ユーザに対して事前にリアルタイムで警告可能となり、それによってユーザは早めに用件を伝える等の適切な対応が可能となり、また通話や通信の遮断後に不必要な再接続処理を繰り返すこともなくなる。
【発明を実施するための最良の形態】
【００１３】
図１は、本発明の基本動作の一例を図式的に示したものである。図２には、図１の動作シーケンスの一例を示している。なお、本発明に特有な処理を行う部分は図中に太線枠で示している。
本例において、携帯端末装置（Ａ）２及び携帯端末装置（Ｂ）５は、それぞれ携帯電話機や電話機能を備えたＰＤＡ (Personal Digital Assistant) 端末装置等である。ネットワーク装置３は、移動通信ネットワークの基地局、又は複数の基地局や上位の移動交換機等からなるネットワーク側の通信装置を示す。本発明動作の前提として、先ず携帯端末装置２及び５が、それぞれ在圏するエリア又はその周辺エリアのネットワーク装置３からの電波を検出して位置登録処理をおこなう（Ｓ００１及び００２）。次に、例えば携帯端末装置２から携帯端末装置５への発呼によって互いに通話状態となる（Ｓ００３）。
【００１４】
これ以降が本発明に特徴的な一連の動作である。本例では通話中に携帯端末装置２の端末装置状態を携帯端末装置５へ通知する場合について説明するが、通話中に携帯端末装置５の端末装置状態を携帯端末装置２へ通知する場合も同様である。ここでは、携帯端末装置２が在圏するエリアの受信電力等の受信電波強度を周期的に測定し、その測定データを上り制御メッセージに含めてネットワーク装置３へ報告する（Ｓ００４）。なお、この動作は既存の携帯電話機と同じである。
【００１５】
ネットワーク装置３は、前記上り制御メッセージを受信すると、そのメッセージに含まれる携帯端末装置２の受信電波強度の測定データを抽出し、その測定データを含む下り制御メッセージを作成して携帯端末装置５にリアルタイムで送信する（Ｓ００５及び００６）。ネットワーク装置３は、ここでは既存の下り制御メッセージのデータフィールドに受信した上り制御メッセージの測定データを書き込む処理を行う。
【００１６】
携帯端末装置５は、前記下り制御メッセージを受信するとその制御内容を解読し、ここでは携帯端末装置２の受信電波強度の測定データを抽出して受信電波強度の劣化を判定するための所定の基準閾値と比較する。携帯端末装置５は、携帯端末装置２の受信電波強度が所定の基準値に満たないと判定すると、携帯端末装置２の圏外移動を事前に警告するためにアラーム“ピー・ピー”を出力する。所定の基準値以上の場合にはなにもしない（Ｓ００７）。その結果、携帯端末装置５のユーザ４は、通話中の相手先端末装置２との会話が近く遮断され得ることを事前に認知して適切な対応を取ることができる。
【００１７】
上記の端末装置処理は、例えば従来の端末装置が行っていた「端末装置が測定した電波受信状態をその端末装置ディスプレイ上にアンテナバー等を用いて表示する」処理の一部を変更し、その「端末装置」を「携帯端末装置２」に、そして「端末装置ディスプレイ上にアンテナバー等を用いて（比較処理が必要）表示する」を「所定の基準閾値との比較によりアラームを出力する」に変更することで容易に対処できる。この場合でも、併せて「端末装置ディスプレイ上に警告内容を表示する」ようにしてもよい。
【００１８】
図３は、本発明の基本動作の別の例を図式的に示したものである。図４には、図３の動作シーケンスの一例を示している。ここでも、本発明に特有な処理を行う部分を図中に太線枠で示している。なお、図４のステップＳ１０１〜１０３は、図２のステップＳ００１〜００３と同じであり、それらについては更に説明しない。
【００１９】
本例でも通話中に携帯端末装置２の端末装置状態を携帯端末装置５へ通知する場合について説明するが、通話中に携帯端末装置５の端末装置状態を携帯端末装置２へ通知する場合も同様である。先ず、携帯端末装置２が在圏するエリアの受信電波強度を周期的に測定し、その測定データを上り制御メッセージに含めてネットワーク装置３へ報告する（Ｓ１０４）。
【００２０】
本例のネットワーク装置３は、前記上り制御メッセージを受信すると、そのメッセージに含まれる携帯端末装置２の受信電波強度の測定データを抽出し、受信電波強度の劣化を判定するための所定の基準閾値と比較する。ネットワーク装置３は、携帯端末装置２の受信電波強度が所定の基準値に満たないと判定すると、携帯端末装置２の圏外移動を事前に警告するためにアラーム等の再生を指示する下り制御メッセージを作成する。所定の基準値以上の場合にはなにもしない（Ｓ１０５）。
【００２１】
ネットワーク装置３から送出された下り制御メッセージを携帯端末装置５が受信すると、携帯端末装置５はその制御内容を解読して、本例ではアラーム“ピー・ピー”を出力する（Ｓ１０６及び１０７）。なお、受信した下り制御メッセージの中にさらに警告表示の指示が含まれていれば、併せて「端末装置ディスプレイ上に警告内容を表示する」することもできる。その結果、携帯端末装置５のユーザ４は、通話中の相手先端末装置２との会話が近く遮断され得ることを事前に認知して適切な対応を取ることができる。
【００２２】
これから分かるように、本例では図１及び２の例では携帯端末装置５の側で行っていた上記処理をネットワーク装置３の側で実行する。この場合、携帯端末装置５は通常のアラーム等の再生を指示する制御コマンドの指示内容に従ってアラーム出力等の処理を実行するだけである（Ｓ１０７）。従って、本例の携帯端末装置２及び５には既存の携帯端末装置がそのまま使用できる。また、ネットワーク装置３も、携帯端末装置２と携帯端末装置５の間の通話中に限って上記の比較処理等を実行することから、それによって発生する処理負荷は軽微である（Ｓ１０５）。
【００２３】
以降では、本発明をＷ−ＣＤＭＡ方式のＩＭＴ２０００携帯電話機Ａ及びＢに適用した場合の具体的な実施例について説明する。そのため、先ず図５及び６に示す一般的な電話接続シーケンスについて簡単に説明しておく。
【００２４】
図５及び６には、携帯電話機（Ａ）２１から携帯電話機（Ｂ）２３へ電話をかける場合の電話接続シーケンスを示している。
携帯電話機２１とネットワーク装置２２との間における発信処理では、先ず携帯電話機２１がネットワーク装置（Ｃ）２２との間に無線リンク（通信パス）を確立する（Ｓ２０１）。無線リンクが確立されると、携帯電話機２１は次に音声通話サービス要求メッセージを送出し（Ｓ２０２）、ネットワーク装置２２との間で認証処理及び秘匿処理を実行する（Ｓ２０３及び２０４）。その結果、ネットワーク装置２２が携帯電話機２１からの音声通話サービス要求を受け付けると、その音声通話で使用するベアラー速度が設定される（Ｓ２０５及び２０６）。
【００２５】
次に、ネットワーク装置２２は着信先の携帯電話機２３に対して着信処理を開始する。ネットワーク装置２２は先ずページングリクエストによって携帯電話機２３を呼び出し、携帯電話機２３はそれによってネットワーク装置２２との間に無線リンクを確立する（Ｓ２０７及び２０８）。次に着信先の携帯電話機２３の側でもネットワーク装置２２との間で認証処理及び秘匿処理を実行し、通話に必要なベアラー速度が設定される（Ｓ２０９〜２１２）。
【００２６】
この後、着信先の携帯電話機２３はネットワーク装置２２へ接続完了通知を行い、最終的に発信元の携帯電話機２１の間に通話路が設定されて両者は通話中の状態となる（Ｓ２１３〜２１７）。上記までは図１及び４の電話接続シーケンス（Ｓ００３、Ｓ１０３）の具体例に相当し、本発明と直接関連するのは次に説明する音声通話開始後のシーケンスである。
【００２７】
なお、以下に示す例や以降で説明する本発明の実施例では、通話中に携帯電話機２１の端末装置状態を携帯電話機２３へ通知する場合について説明するが、通話中に携帯電話機２３の端末装置状態を携帯電話機２１へ通知する場合も同様である。
【００２８】
図６に示すように、通話開始後は、携帯電話機２１からネットワーク装置２２へ測定報告 (Measurement Report)メッセージが定期的に送信される（Ｓ２１８及び２１９）。ネットワーク装置２２は、このメッセージに含まれる携帯電話機２１の在圏エリア（自セル）及びその周辺エリア（周辺セル）の電波状況等によって携帯電話機２１の移動状況を管理し、これらの報告に基づいてソフトハンドオーバ処理等のために随時セル追加（Active Set Update）等の指示をだす（Ｓ２２０）。
【００２９】
図７は、本発明の第１の実施例を示したものであり、本例は図２の具体例に相当する。また、図８には制御メッセージのフォーマットの一例を示している。なお、以降で説明する全ての実施例は、携帯電話機２１と携帯電話機２３との間で通話が開始（図６のＳ２１７）された後のものである。
【００３０】
図７において、携帯電話機２１は、周期的に自セル内でアクセスする基地局及びその周辺セルからの電波強度、本例では受信信号チャネル電力ＲＳＣＰ（Received Signal Channel Power）（以降、「受信電力」という）、を測定し、その測定データを測定報告 (Measurement Report) メッセージによってネットワーク装置２２に報告する（Ｓ３０１）。本例において携帯電話機２１がアクセスする基地局からの受信電力は−１０５ｄＢｍである。
【００３１】
ネットワーク装置２２は、受信した測定報告メッセージの受信電力情報（ＲＳＣＰ＝−１０５ｄＢｍ）を含めた測定制御 (Measurement Control) メッセージを作成し（Ｓ３０２）、それを下り制御メッセージとして携帯電話機２３へ送信する（Ｓ３０３）。
【００３２】
図８には制御メッセージの一例を示しており、図８の（ａ）には測定報告 (Measurement Report) メッセージのフォーマット例を、そして図８の（ｂ）には測定制御 (Measurement Control) メッセージのフォーマット例を示している。本例の場合、一例ではあるが測定報告メッセージのデータフィールドに格納された受信電力データ（ＲＳＣＰ＝−１０５ｄＢｍ）が、測定制御メッセージのパディングフィールド上（図中に太線枠で示す）にコピーされる（Ｓ３０２）。
【００３３】
携帯電話機２３は、ネットワーク装置２２から前記測定制御メッセージを受信すると、パディングフィールドから受信電力情報（ＲＳＣＰ＝−１０５ｄＢｍ）を抽出し、自端末装置内に保持してある受信電力の劣化を判定するための基準閾値（本例ではＲｅｆ＝−１００ｄＢｍ）と比較する。この場合、ネットワーク装置３は、携帯電話機２１の受信電力が前記基準値に満たないと判定し（ＲＳＣＰ＜Ｒｅｆ）、携帯電話機２１の圏外移動を警告するためにアラーム音等を再生する。前記基準値以上の場合（ＲＳＣＰ＞Ｒｅｆ）にはなにもしない（Ｓ３０４）。なお、携帯電話機２３におけるこれらの処理は、図２で説明したように、既存の電話機制御ファームウェア等の一部変更等によって容易に実現できる。
【００３４】
図９は、本発明の第２の実施例を示したものであり、本例は図４の具体例に相当する。
図９では、ネットワーク装置２２が、上述した携帯電話機２３のステップＳ３０４に相当する携帯電話機２１の受信電力の劣化判定処理を実行する（Ｓ３１２）。そして、携帯電話機２３におけるアラーム再生が必要と判定した場合には、その旨の測定制御 (Measurement Control) メッセージを携帯電話機２３へ送信する（Ｓ３１３）。本例の場合、一例ではるが測定制御メッセージのパディングフィールド（図８の（ｂ））にアラーム再生指示データが書き込まれる。
【００３５】
携帯電話機２３は測定制御メッセージを受信するとパディングフィールドからアラーム再生指示データを抽出し、その指示に従ってアラームを再生する（Ｓ３１４）。図４でも説明したように、本例は原則として既存の携帯端末装置がそのまま使用でき、またネットワーク装置３についても簡易なソフトウェアの追加だけで対処できる。
【００３６】
図１０は、本発明の第３の実施例を示したものである。図１０には本発明の第１の実施例（図７）の別の態様例を示しているが、同様の内容は本発明の第２の実施例（図９）にも適用可能である。また、図１１には、図１０のディプレイ表示の一例を示している。本例では相手の顔を見ながら通話する携帯テレビ電話端末装置（以降では、単に「携帯電話機」という）の使用を想定している。
【００３７】
本例において、図１０のステップＳ３２４の処理内容だけが対応する図７のステップＳ３０４の処理内容と異なる。ステップＳ３２４では、携帯電話機２３が、ネットワーク装置２２から受信した測定制御メッセージに含まれる受信電力情報（ＲＳＣＰ＝−１０５ｄＢｍ）を抽出し、それをアンテナバー表示に変換してから端末装置ディスプレイ上に表示する。
【００３８】
図１１にはその表示例を示している。ここでは、携帯電話機（Ｂ）２３の発信元である携帯電話機（Ａ）２１のユーザが大きな画面（３１）で表示されており、その右上隅には前記変換後のアンテナバー（３２）が表示されている。一方、携帯電話機２３のユーザも左下隅に小さな画面（３３）で表示されており、またディスプレイの上部（３４）には自端末装置２３の電波強度が分かり易いように、大きなアンテナバーを使って表示されている。
【００３９】
本例においても、自端末装置のアンテナバー表示を行う従来アプリケーションが少ない変更で適用できる。また、本例のアンテナバー表示処理と図７のアラーム再生処理とを組み合わせて使用することもできる。なお、本例を図９の例に適用する場合には、携帯電話機２３がネットワーク装置２２からアンテナバー表示変換後の表示データを受信することになる。この場合でも、アラーム再生指示データと組みあわてアンテナバー表示とアラーム再生の両方を同時に行わせることが可能である。
【００４０】
図１２は、本発明による携帯電話機２１及び２３の回路ブロック構成の一例を示したものである。
図１２において、アンテナ４１と接続される無線部（ＲＦ）４２は、ネットワーク装置２２との間でＣＤＭＡ等の種々の通信方式も用いて無線信号の送受信を行い、また無線インタフェース部（ＲＦＩ／Ｆ）４３を介してデジタルベースバンド部（ＤＢＢ）４４とインタフェースする。
【００４１】
デジタルベースバンド部（ＤＢＢ）４４では、モデム受信機（Ｍｏｄｅｍ  Ｒｘ）５１で受信信号を復調し、その復調信号はチャネルコーデックの受信部（ＣＨ−Ｃｏｄｅｃ  Ｒｘ）５２で該当チャネルの受話信号又は受信データ信号に変換される。また、電波強度測定部５４では、受信機５１から出力される所定の受信レベル信号を使って自端末装置が在圏するエリア内の受信電波強度を周期的に測定する。
【００４２】
そして、携帯電話機全体の制御を実行するＣＰＵ５７が、測定した受信電波強度の情報を含む測定報告 (Measurement Report) メッセージを作成し、そのメッセージはチャネルコーデックの送信部（ＣＨ−Ｃｏｄｅｃ  Ｔｘ）５６及びモデム送信機（Ｍｏｄｅｍ  Ｔｘ）５５を介して基地局へ送信される。なお、送話信号もチャネルコーデックの送信部５６及びモデム送信機５５を介して基地局へ送信されることはいうまでもない。ここまでは既存の携帯電話機構成と同じである。
【００４３】
本発明では、さらに相手先端末装置状態処理部５３が設けられている。相手先端末装置状態処理部５３は、前記受信データ信号に含まれる、相手先端末装置から直接通知される現在の受信電波強度に関する情報やネットワーク装置２２から通知される相手先端末装置状態情報（測定制御 (Measurement Control) メッセージ等）に従って、警告音発生部（ＡＬＭ）５８から警告音を出力させ、及び／又はＬＣＤ等からなる表示部（ＤＳＰ）５９にその警告内容や相手先端末装置の現在の受信電波強度等を表示させる。具体的には、ＣＰＵ５７が相手先端末装置状態処理部５３の処理を実行する。
【００４４】
上述した各種の処理は、ＣＰＵ５７がアプリケーション・インタフェース部（ＡＰＬ  Ｉ／Ｆ）６０を介してアプリケーション部４５に格納されている該当プログラムを実行することによって実現される。電源部４６は、携帯電話機２１又は２３へ電源を供給するバッテリ電池及び電源供給回路で構成される。
【００４５】
なお、本発明におけるネットワーク装置２２のブロック構成については特に図示していないが、前述した本発明の第１の実施例においてはメッセージの書き換え（図８参照）を除いて基本的には既存のネットワーク装置２２と異なるところがなく、また、本発明の第２の実施例においても図１２の相手先端末装置状態処理部５３をネットワーク装置２２の側に設けて受信端末装置側の処理を代行させる以外は既存のものと同じである。
【００４６】
以上、本発明によれば既存の無線システムとの整合性が維持されるため、本発明のサービス提供によるコストの上昇が回避される。また、通話中において、一方の無線端末装置を起因とする通話遮断等の発生を、他方の無線端末装置ユーザに対して事前にリアルタイムで警告可能となり、それによってユーザは早めに用件を伝える等の適切な対応が可能となり、また通話や通信の遮断後に不必要な再接続処理を繰り返すこともなくなる。
【００４７】
（付記１）
第１の無線端末装置と第２の無線端末装置からなる無線通信システムであって、第１の無線端末装置と第２の無線端末装置との間の通信中に、
第１の無線端末装置は、自端末装置の端末装置状態情報を第２の無線端末装置へ送信し、
第２の無線端末装置は、第１の無線端末装置から受信した前記端末装置状態情報を基に所定の通知情報を作成し、その通知情報を第２の無線端末装置ユーザへ通知する、
ことにより、互いの端末装置状態情報を実時間で通知し合うことを特徴とする無線通信システム。
（付記２）
第１の無線端末装置と第２の無線端末装置とネットワーク装置からなる無線通信システムであって、ネットワーク装置を介した第１の無線端末装置と第２の無線端末装置との間の通信中に、
第１の無線端末装置は、自端末装置の端末装置状態情報をネットワーク装置へ送信し、
ネットワーク装置は、受信した前記端末装置状態情報を第２の無線端末装置へ送信し、
第２の無線端末装置は、受信した前記端末装置状態情報を基に所定の通知情報を作成し、該通知情報を第２の無線端末装置ユーザへ通知する、
ことにより、互いの端末装置状態情報を実時間で通知し合うことを特徴とする無線通信システム。
（付記３）
第１の無線端末装置と第２の無線端末装置とネットワーク装置からなる無線通信システムであって、ネットワーク装置を介した第１の無線端末装置と第２の無線端末装置との間の通信中に、
第１の無線端末装置は、自端末装置の端末装置状態情報をネットワーク装置へ送信し、
ネットワーク装置は、受信した前記端末装置状態情報を基に所定の通知情報を作成し、該通知情報を第２の無線端末装置ユーザへ送信し、
第２の無線端末装置は、受信した前記通知情報を第２の無線端末装置ユーザへ通知する、
ことにより、互いの端末装置状態情報を実時間で通知し合うことを特徴とする無線通信システム。
（付記４）
第１の無線端末装置からネットワーク装置への送信は一定周期毎に所定の報告メッセージを用いて行われ、そしてネットワーク装置から第２の無線端末装置への送信は受信した前記報告メッセージに基づき作成された所定の制御メッセージを用いて行われる、ことを特徴とする付記２記載の無線通信システム。
（付記５）
前記自端末装置の端末装置状態情報は、第１の無線端末装置が在圏するエリアの受信電波強度であり、第２の無線端末装置のユーザへの通知情報は、第１の無線端末装置の移動に伴う警告情報及び／又は第１の無線端末装置の受信電波強度の表示情報である、ことを特徴とする付記１に記載の無線通信システム。
（付記６）
第１の無線端末装置と第２の無線端末装置からなる無線通信システムにおいて、第１の無線端末装置と第２の無線端末装置との間の通信方法は、
第１の無線端末装置と第２の無線端末装置との間で無線通信を開始すること、
前記通信中に、第１の無線端末装置は、自端末装置の端末装置状態情報を第２の無線端末装置へ送信すること、
第２の無線端末装置は、第１の無線端末装置から受信した前記端末装置状態情報を基に所定の通知情報を作成し、該通知情報を第２の無線端末装置ユーザへ通知すること、
により、互いの端末装置状態情報を実時間で通知し合うことを特徴とする通信方法。
（付記７）
第１の無線端末装置と第２の無線端末装置とネットワーク装置からなる無線通信システムにおいて、ネットワーク装置を介した第１の無線端末装置と第２の無線端末装置との間の通信方法は、
第１の無線端末装置と第２の無線端末装置との間でネットワーク装置を介した通信を開始すること、
通信中に、第１の無線端末装置は、自端末装置の端末装置状態情報をネットワーク装置へ送信すること、
ネットワーク装置は、受信した前記端末装置状態情報を第２の無線端末装置へ送信すること、
第２の無線端末装置は、受信した前記端末装置状態情報を基に所定の通知情報を作成し、該通知情報を第２の無線端末装置ユーザへ通知すること、
により、互いの端末装置状態情報を実時間で通知し合うことを特徴とする通信方法。
（付記８）
第１の無線端末装置と第２の無線端末装置とネットワーク装置からなる無線通信システムにおいて、ネットワーク装置を介した第１の無線端末装置と第２の無線端末装置との間の通信方法は、
第１の無線端末装置と第２の無線端末装置との間でネットワーク装置を介した通信を開始すること、
通信中に、第１の無線端末装置は、自端末装置の端末装置状態情報をネットワーク装置へ送信すること、
ネットワーク装置は、受信した前記端末装置状態情報を基に所定の通知情報を作成し、該通知情報を第２の無線端末装置ユーザへ送信すること、
第２の無線端末装置は、受信した前記通知情報を第２の無線端末装置ユーザへ通知すること、
により、互いの端末装置状態情報を実時間で通知し合うことを特徴とする通信方法。
（付記９）
第１の無線端末装置からネットワーク装置への送信は一定周期毎に所定の報告メッセージを用いて行われ、そしてネットワーク装置から第２の無線端末装置への送信は受信した前記報告メッセージに基づき作成された所定の制御メッセージを用いて行われる、ことを特徴とする付記７記載の通信方法。
（付記１０）
前記自端末装置の端末装置状態情報は、第１の無線端末装置が在圏するエリアの受信電波強度であり、第２の無線端末装置のユーザへの通知情報は、第１の無線端末装置の移動に伴う警告情報及び／又は第１の無線端末装置の受信電波強度の表示情報である、ことを特徴とする付記６に記載の通信方法。
（付記１１）
ネットワーク装置を介して相手先無線端末装置との間で無線通信を行う無線端末装置であって、
前記相手先無線端末装置との通信中に、自端末装置の端末装置状態情報を送信する端末装置状態送信部と、
前記相手先無線端末装置の端末装置状態情報を受信する端末装置状態受信部と、
受信した前記相手先無線端末装置の端末装置状態情報を基に作成した通知情報を、自端末装置ユーザへ通知する通知部と、を有し、
前記相手先無線端末装置の端末装置状態情報を実時間で取得することを特徴とする無線端末装置。
（付記１２）
前記通知情報は、前記相手先無線端末装置が電波受信可能エリア圏外へ移動することを予告する警告音の出力指示情報、及び／又は前記相手先無線端末装置の受信電界強度を表すアンテナバーの表示指示情報であることを特徴とする付記１１記載の無線端末装置。
（付記１３）
ネットワーク装置を介して相手先無線端末装置との間で無線通信を行う無線端末装置を制御するためのコンピュータを、
前記相手先無線端末装置との通信中に、自端末装置の端末装置状態情報を送信する端末装置状態送信手段、
前記相手先無線端末装置の端末装置状態情報を実時間で受信する端末装置状態受信手段、
受信した前記相手先無線端末装置の端末装置状態情報を基に作成した通知情報を、自端末装置ユーザへ通知する通知手段、
として機能させるためのプログラム。
（付記１４）
第１の無線端末装置と第２の無線端末装置との間の無線接続とその通信制御を行うネットワーク装置であって、
前記第１の無線端末装置と第２の無線端末装置との間の通信中に、前記第１の無線端末装置から端末装置状態情報を受信する受信部と、
前記第１の無線端末装置から受信した端末装置状態情報を、前記第２の無線端末装置へ実時間で転送する転送部と、を有し、
前記第１の無線端末装置と第２の無線端末装置とが互いの端末装置状態情報を実時間で通知し合えるようにしたことを特徴とするネットワーク装置。
（付記１５）
前記転送部は、前記転送の際に、前記第１の無線端末装置から受信した端末装置状態情報を基に通知情報を作成し、前記第１の無線端末装置から受信した端末装置状態情報に代えて該通知情報を前記第２の無線端末装置へ転送すること、を特徴とする付記１４記載のネットワーク装置。
（付記１６）
前記通知情報は、前記第１の無線端末装置が電波受信可能エリア圏外へ移動することを予告する警告音の出力指示情報、及び／又は前記相手先無線端末装置の受信電界強度を表すアンテナバーの表示指示情報であることを特徴とする付記１４記載のネットワーク装置。
（付記１７）
第１の無線端末装置と第２の無線端末装置との間の無線接続とその通信制御を行うネットワーク装置を制御するためのコンピュータを、
前記第１の無線端末装置と第２の無線端末装置との間の無線通信中に、前記第１の無線端末装置から端末装置状態情報を受信する受信手段、
前記第１の無線端末装置から受信した端末装置状態情報を、実時間で前記第２の無線端末装置へ転送する転送手段、
として機能させるためのプログラム。
（付記１８）
前記転送手段を、前記転送の際に前記第１の無線端末装置から受信した端末装置状態情報を基に通知情報を作成し、前記第１の無線端末装置から受信した端末装置状態情報に代えて該通知情報を前記第２の無線端末装置へ転送する手段として機能させる付記１７記載のプログラム。
【図面の簡単な説明】
【００４８】
【図１】本発明の基本動作の一例を図式的に示した図である。
【図２】図１の動作シーケンスの一例を示した図である。
【図３】本発明の基本動作の別の例を図式的に示した図である。
【図４】図３の動作シーケンスの一例を示した図である。
【図５】電話接続シーケンスの一例（１）を示した図である。
【図６】電話接続シーケンスの一例（２）を示した図である。
【図７】本発明の第１の実施例を示した図である。
【図８】制御メッセージフォーマットの一例を示した図である。
【図９】本発明の第２の実施例を示した図である。
【図１０】本発明の第３の実施例を示した図である。
【図１１】図１０のディプレイ表示の一例を示した図である。
【図１２】本発明の無線端末装置の一構成例を示した図である。
【符号の説明】
【００４９】
２、５、２１、２３    携帯端末装置
３、２２    ネットワーク装置
３１、３３    表示画面
３２、３４    アンテナバー
４１    アンテナ
４２    無線部
４３    無線インタフェース部
４４    デジタルベースバンド部
４５    アプリケーション部
４６    電源部
５３    相手先端末装置状態処理部
５４    電波強度測定部
５８    警報部
５９    表示部
【図１】
2006295881.tif 000003
【図２】
2006295881.tif 000004
【図３】
2006295881.tif 000005
【図４】
2006295881.tif 000006
【図５】
2006295881.tif 000007
【図６】
2006295881.tif 000008
【図７】
2006295881.tif 000009
【図８】
2006295881.tif 000010
【図９】
2006295881.tif 000011
【図１０】
2006295881.tif 000012
【図１１】
2006295881.tif 000013
【図１２】
2006295881.tif 000014